(57)【要約】【課題】放射線撮像装置の操作性を損なうことなく、オフセット補正データを効率的に生成する。【解決手段】オフセット補正データを使用して放射線画像を補正する放射線撮像装置であって、放射線を照射せずに撮像された複数枚の暗電流画像データを取得して加算平均処理を実行しオフセット補正データを生成する生成部と、生成部によるオフセット補正データの生成処理を中止する中止命令を受信する受信部と、を備え、生成部は、中止命令が受信された場合に、生成処理の進度に基づいて当該生成処理を継続するか中止するかを判定する。【選択図】  図２
2014030151.tif 000002
【特許請求の範囲】
【請求項１】
オフセット補正データを使用して放射線画像を補正する放射線撮像装置であって、
放射線を照射せずに撮像された複数枚の暗電流画像データを取得して加算平均処理を実行し前記オフセット補正データを生成する生成手段と、
前記生成手段による前記オフセット補正データの生成処理を中止する中止命令を受信する受信手段と、
前記中止命令が受信された場合に、前記生成処理の進度に基づいて当該生成処理を継続するか中止するかを判定する判定手段と、を備え、
前記生成手段は、前記判定手段による判定結果に応じて前記生成処理を継続または中止することを特徴とする放射線撮像装置。
【請求項２】
前記判定手段は、前記中止命令の受信タイミングに基づいて前記生成処理が完了するまでの残りの処理時間を算出し、
前記残りの処理時間が所定時間未満である場合に、前記生成処理を継続すると判定し、
前記残りの処理時間が前記所定時間以上である場合に、前記生成処理を中止すると判定することを特徴とする請求項１に記載の放射線撮像装置。
【請求項３】
前記判定手段は、前記中止命令の受信タイミングが、所定枚数の暗電流画像データを取得して加算する処理の完了前である場合には前記生成処理を中止すると判定し、前記加算する処理の完了後である場合には前記生成処理を継続すると判定することを特徴とする請求項１に記載の放射線撮像装置。
【請求項４】
前記受信手段は、前記放射線画像の撮像開始命令を前記中止命令として受信することを特徴とする請求項１乃至３の何れか１項に記載の放射線撮像装置。
【請求項５】
前記生成手段は、前記判定手段により前記生成処理を中止すると判定されて当該生成処理を中止している場合、前記放射線画像の撮像が終了した後に、前記生成処理を再開することを特徴とする請求項４に記載の放射線撮像装置。
【請求項６】
オフセット補正データを使用して放射線画像を補正する放射線撮像装置であって、
放射線を照射せずに撮像された複数枚の暗電流画像データを取得して加算平均処理を実行し前記オフセット補正データを生成する生成手段と、
前記生成手段による前記オフセット補正データの生成処理を中止する中止命令を受信する受信手段と、を備え、
前記生成手段は、前記中止命令が受信された場合、当該中止命令の受信タイミングで加算済みの暗電流画像データと、加算済み枚数とに基づいて平均処理を実行して前記オフセット補正データを生成することを特徴とする放射線撮像装置。
【請求項７】
生成手段と、受信手段と、判定手段とを備えており、オフセット補正データを使用して放射線画像を補正する放射線撮像装置の制御方法であって、
前記生成手段が、放射線を照射せずに撮像された複数枚の暗電流画像データを取得して加算平均処理を実行し前記オフセット補正データを生成する生成工程と、
前記受信手段が、前記生成工程による前記オフセット補正データの生成処理を中止する中止命令を受信する受信手段と、
前記判定手段が、前記中止命令が受信された場合に、前記生成処理の進度に基づいて当該生成処理を継続するか中止するかを判定する判定工程と、を有し、
前記生成工程では、前記判定工程による判定結果に応じて前記生成処理を継続または中止することを特徴とする放射線撮像装置の制御方法。
【請求項８】
生成手段と、受信手段とを備えており、オフセット補正データを使用して放射線画像を補正する放射線撮像装置の制御方法であって、
前記生成手段が、放射線を照射せずに撮像された複数枚の暗電流画像データを取得して加算平均処理を実行し前記オフセット補正データを生成する生成工程と、
前記受信手段が、前記生成工程による前記オフセット補正データの生成処理を中止する中止命令を受信する受信工程と、を有し、
前記生成工程では、前記中止命令が受信された場合、当該中止命令の受信タイミングで加算済みの暗電流画像データと、加算済み枚数とに基づいて平均処理を実行して前記オフセット補正データが生成されることを特徴とする放射線撮像装置の制御方法。
【請求項９】
請求項７に記載の放射線撮像装置の制御方法の各工程をコンピュータに実行させるためのプログラム。
【請求項１０】
請求項８に記載の放射線撮像装置の制御方法の各工程をコンピュータに実行させるためのプログラム。
【発明の詳細な説明】
【技術分野】
【０００１】
本発明は、放射線撮像装置、放射線撮像装置の制御方法、およびプログラムに関し、特にＭＯＳ型撮像素子を用いた放射線撮像に発生する固定パターンノイズ（ＦＰＮ）を補正する技術に関する。
【背景技術】
【０００２】
一般に、ＭＯＳ型撮像素子においては、画素の暗電流成分あるいは画素を構成する増幅トランジスタのばらつきによって固定パターンノイズ（ＦＰＮ）が発生する。この固定パターンノイズを抑制する方法としては、従来から種々の手法が提案されている。
【０００３】
非参考文献１では、図６に示されるような構成で、遮光状態においてＣＭＯＳイメージセンサ２０１から出力された信号をＡ／Ｄ変換器２０２によりＡ／Ｄ変換し、フレームバッファ２０３に基準信号として記憶させておき、次に露光蓄積されたＣＭＯＳイメージセンサ２０１から出力される画像信号から、フレームバッファ２０３に記憶されている基準信号を減算器２０４で差し引くことで固定パターンノイズを除去する手法が開示されている。
【０００４】
また、特許文献１では、被写体に対する放射線撮像を開始する前の非撮像期間において複数枚の暗電流画像データを取得し、取得された複数枚の暗電流画像データを合成してオフセット補正データを生成し、生成したオフセット補正データを用いて固定パターンノイズを除去する方法が開示されている。取得される暗電流画像データの枚数が多いほど、ランダム成分のノイズが平均化により除去されるという利点がある。
【０００５】
このオフセット補正データ生成期間に中止コマンド（例えば撮像開始コマンド）を受信するなど特殊な条件に応じて、オフセット補正データ生成を中止する。オフセット補正データ生成が中止された場合は、以前のオフセット補正データを使用してオフセット補正を行うことになる。
【先行技術文献】
【特許文献】
【０００６】
【特許文献１】特許第４７４４８３１号
【非特許文献】
【０００７】
【非特許文献１】「ＣＣＤ／ＣＭＯＳイメージ・センサの基礎と応用」ＣＱ出版社発行、第１９３頁から第１９４頁
【発明の概要】
【発明が解決しようとする課題】
【０００８】
しかしながら、特許文献１に記載の技術では、オフセット補正データの生成に使用する暗電流画像データの枚数が多いほど、暗電流画像の取得に時間を要するため、オフセット補正データ生成期間中一律に撮像が禁止されると、放射線撮像装置の操作性を損なうことになる。
【０００９】
また、中止コマンドの受信に応じてオフセット補正データの生成を中止する場合、オフセット補正データの生成が完了する直前に中止コマンドを受信したり、実際に放射線照射が開始されるまでにオフセット補正データの生成を完了することが可能な場合に中止コマンドを受信したりすると、生成中のオフセット補正データが破棄されてしまうことになる。
【００１０】
上記の課題に鑑み、本発明は、放射線撮像装置の操作性を損なうことなく、オフセット補正データを効率的に生成することを目的とする。
【課題を解決するための手段】
【００１１】
上記の目的を達成する本発明に係る放射線撮像装置は、
オフセット補正データを使用して放射線画像を補正する放射線撮像装置であって、
放射線を照射せずに撮像された複数枚の暗電流画像データを取得して加算平均処理を実行し前記オフセット補正データを生成する生成手段と、
前記生成手段による前記オフセット補正データの生成処理を中止する中止命令を受信する受信手段と、を備え、
前記生成手段は、前記中止命令が受信された場合に、前記生成処理の進度に基づいて当該生成処理を継続するか中止するかを判定することを特徴とする。
【発明の効果】
【００１２】
本発明によれば、放射線撮像装置の操作性を損なうことなく、オフセット補正データを効率的に生成することができる。
【図面の簡単な説明】
【００１３】
【図１】第１実施形態に係る放射線撮像システム１０の一例を示す図。
【図２】第１実施形態に係る放射線撮像装置１００が実施するオフセット補正データ生成処理の手順を示すフローチャート。
【図３】第１実施形態に係る複数枚の暗電流画像データを使用したオフセット補正の説明図。
【図４】第２実施形態に係る放射線撮像システム１０の一例を示す図。
【図５】第２実施形態に係る同期制御インタフェース１１１を用いたオフセット補正データ生成中止処理のタイミングチャート。
【図６】固定パターンノイズ除去の原理を示すブロック図。
【発明を実施するための形態】
【００１４】
以下、添付の図面を参照して、本発明の実施形態を説明する。
【００１５】
（第１実施形態）
第１実施形態では、オフセット補正データを使用して放射線画像を補正するために、放射線を照射せずに撮像された複数枚の暗電流画像データを取得して加算平均処理を実行しオフセット補正データを生成する。オフセット補正データの生成処理を中止する中止命令を受信した場合（例えば、放射線画像の撮像開始命令を中止命令として受信した場合）に、生成処理の進度に基づいて当該生成処理を継続するか中止するかを判定し、その判定結果に応じて生成処理を継続または中止する構成について説明する。
【００１６】
より具体的には、オフセット補正データの生成処理が完了間近であるときに撮像開始命令を受け付けたような場合は生成処理を継続し、完了までに相応の時間を要する場合には生成処理を中止する。
【００１７】
まず図１を参照して、第１実施形態に係る放射線撮像システム１０の一例を説明する。放射線撮像システム１０は、放射線撮像装置１００と、システム制御／画像処理装置１０１と、画像表示装置１０２と、放射線発生制御装置１０３と、放射線管１０４とを備える。
【００１８】
放射線撮像装置１００は、放射線管１０４から照射されて被写体を通過した放射線を、シンチレータにより可視光に変換し、光量に応じた光電変換を行った後にＡ／Ｄ変換を実行し、フレーム画像データを生成する。そして、生成されたフレーム画像データからオフセット補正データを減算したオフセット補正済み画像データを、システム制御／画像処理装置１０１へ転送する。また、放射線撮像装置１００は、後述のフローチャートの各処理を実施するための撮像制御部１０５を有する。
【００１９】
システム制御／画像処理装置１０１は、放射線撮像を行う際、放射線撮像装置１００と放射線発生制御装置１０３とを同期制御する。また、システム制御／画像処理装置１０１は、放射線照射時間、ゲイン（センサの蓄積容量）、蓄積時間（フレームレート）、および画像サイズなど様々な条件が指定された撮像モードを、コマンドインタフェース１１０を介して放射線撮像装置１００に設定する。暗電流画像データは、ゲイン（センサの蓄積容量）、蓄積時間（フレームレート）等に依存するため、撮影モードごとにオフセット補正データを作成する必要がある。
【００２０】
さらに、システム制御／画像処理装置１０１は、撮像開始命令、オフセット補正データ生成開始命令等を、コマンドインタフェース１１０を介して放射線撮像装置１００へ通知する。また、システム制御／画像処理装置１０１は、放射線撮像装置１００から転送されたオフセット補正済み画像データに対して画像処理を施し、画像表示装置１０２へ出力する。
【００２１】
画像表示装置１０２は、システム制御／画像処理装置１０１から転送されてくる放射線画像をリアルタイムに表示する。放射線発生制御装置１０３は、システム制御／画像処理装置１０１による制御下で、放射線管１０４による放射線照射を制御する。そして放射線管１０４は、放射線を被写体へ照射する。
【００２２】
次に、図２（ａ）のフローチャートおよび図３を参照して、第１実施形態に係る放射線撮像装置１００が実施するオフセット補正データ生成処理の手順を説明する。ここで、図３は、複数枚の暗電流画像データを合成することによりオフセット補正データを生成して固定パターンノイズを除去する際の、第１実施形態に係る画像データの流れの説明図である。
【００２３】
まず図２（ａ）のＳ２０１において、放射線撮像装置１００の撮像制御部１０５は、非撮像状態において、コマンドインタフェース１１０を介して、システム制御／画像処理装置１０１からオフセット補正データ生成開始命令および撮像モードを取得して、オフセット補正データ生成中止フラグのクリアおよび取得した撮像モードの設定を行う。
【００２４】
Ｓ２０２において、撮像制御部１０５は、設定された撮像モードに基づいてオフセット補正データの生成に必要な処理時間を算出する。あるいは、撮像モードごとに対応付けて予め記憶されたメモリから読み出してもよい。Ｓ２０３において、撮像制御部１０５は、撮像開始命令に応じてオフセット補正データの生成を中止する割込みを許可する。
【００２５】
Ｓ２０４において、撮像制御部１０５は、オフセット補正データの生成中止フラグが放射線撮像装置１００に設定されているか否かを判定することにより、オフセット補正データ生成を継続するか否かを判定する。オフセット補正データ生成の中止フラグが放射線撮像装置１００に設定されている場合、オフセット補正データの生成を中止する。ここでは、Ｓ２０１でオフセット補正データ生成の中止フラグがクリアされているので、中止フラグが放射線撮像装置１００に設定されておらず、オフセット補正データ生成を継続することになる。
【００２６】
ただし、後述する図２（ｂ）のフローチャートに示す処理が、図２（ａ）のＳ２０３の割り込み許可からＳ２０７の割り込み禁止までの間になされて中止フラグが設定されている場合には、オフセット補正データ生成を中止することになる。
【００２７】
オフセット補正データ生成を継続すると判定された場合（Ｓ２０４；ＹＥＳ）、Ｓ２０５へ進む。一方、オフセット補正データ生成を中止すると判定された場合（Ｓ２０４；ＮＯ）、処理を終了する。
【００２８】
Ｓ２０５において、撮像制御部１０５は、放射線が照射されていない状態で撮像動作を行い、図３に示されるように、放射線撮像装置１００が備えるＣＭＯＳイメージセンサ２０１から暗電流画像データを読み出してＡ／Ｄ変換器２０２によりアナログ値からデジタル値へ変換してフレームバッファ２０３に書き込む。
【００２９】
なお、フレームバッファ２０３に加算済み暗電流画像データが既に保存されているなら、当該加算済み暗電流画像データと、Ｓ２０５で今回取得した暗電流画像データとを、加算器２０５により画素毎に加算し、積算暗電流画像データを生成してフレームバッファ２０３に書き戻すことになる。
【００３０】
Ｓ２０６において、撮像制御部１０５は、これまでに取得された暗電流画像データの枚数が、オフセット補正データ生成に必要な所定枚数に到達したか否かを判定する。暗電流画像データの枚数が所定枚数に到達したと判定された場合（Ｓ２０６；ＹＥＳ）、Ｓ２０７へ進む。一方、暗電流画像データの枚数が所定枚数に到達していないと判定された場合（Ｓ２０６；ＮＯ）、Ｓ２０４に戻る。
【００３１】
Ｓ２０７において、撮像制御部１０５は、オフセット補正データの生成を中止する割込みを禁止する。Ｓ２０８において、撮像制御部１０５は、フレームバッファ２０３から読み出した積算暗電流画像データを、除算器２０６により積算枚数で除算してフレームバッファ２０３のオフセット補正データ格納エリアに書き戻す。これにより、オフセット補正データが生成されて更新される。
【００３２】
次に、図２（ｂ）のフローチャートを参照して、第１実施形態に係る放射線撮像装置１００が実施するオフセット補正データ生成処理の手順を説明する。
【００３３】
放射線撮像を行う場合、操作者はシステム制御／画像処理装置１０１を操作して撮像開始命令を発行するが、操作者は放射線撮像装置１００がオフセット補正データを生成中であるか否かを意識することなく任意のタイミングで撮像開始命令を発行する。
【００３４】
図２（ａ）のＳ２０３でオフセット補正データ生成中止割込みが許可されてからＳ２０７で割込みが禁止されるまでの間に、コマンドインタフェース１１０を介して、システム制御／画像処理装置１０１から放射線撮像装置１００へ中止命令（例えば、撮像開始命令）が転送されると、図２（ｂ）のフローチャートに示されるオフセット補正データ生成中止割込み処理が行われる。
【００３５】
Ｓ２１１において、撮像制御部１０５は、図２のＳ２０２で算出されたオフセット補正データ生成に必要な処理時間に基づいて、オフセット補正データ生成が完了するまでの残り時間を算出し、当該残り時間が所定時間以上あるか否かを判定する。残り時間が所定時間以上あると判定された場合（Ｓ２１１；ＹＥＳ）、Ｓ２１２へ進む。一方、残り時間が所定時間以未満であると判定された場合（Ｓ２１１；ＮＯ）、処理を終了する。
【００３６】
Ｓ２１２において、撮像制御部１０５は、オフセット補正データ生成の中止フラグをセットして、処理を終了する。
【００３７】
撮像制御部１０５は、所定枚数の暗電流画像データを取得して加算処理が終了するまで、Ｓ２０４からＳ２０６までの各処理を繰り返しており、オフセット補正データ生成中止割込み処理によりオフセット補正データ生成の中止フラグが設定された場合、Ｓ２０４においてオフセット補正データ生成が中止される。オフセット補正データの生成を中止された場合、フレームバッファ２０３上のオフセット補正データは更新されない。
【００３８】
以上説明したように、本実施形態によれば、オフセット補正開始後の任意のタイミングで撮像開始命令が発行された場合、オフセット補正データ生成開始後所定時間が経過していれば新たなオフセット補正データによるオフセット補正が行われた画像データが出力される。一方、オフセット補正データ生成開始後所定時間経過前であればオフセット補正データ生成を中止することになるが、撮像をすぐに開始できるため、放射線撮像装置の操作性を向上することができる。また、オフセット補正データ生成が、撮像開始命令がなされたタイミングによっては中止されずに最後まで実行されるため、オフセット補正データの生成中止によるアーチファクトの発生を低減することができる。
【００３９】
このように、複数枚の暗電流画像データの加算平均によるオフセット補正データ生成中に操作者により任意のタイミングで撮像開始命令が入力された場合に、オフセット補正データ生成終了までの残り時間を算出して処理の中止または継続を決定する（すなわち、オフセット補正データ生成処理の進度に基づいて処理の中止または継続を決定する）ため、操作性を低下させることなくオフセット補正データを効率的に生成・更新することが可能となる。
【００４０】
なお、第１実施形態では、システム制御／画像処理装置１０１によるオフセット補正データ生成開始命令を受けてオフセット補正データ生成を開始するものとして説明したが、撮像開始命令と撮像終了命令との間の期間を撮像期間とし、それ以外の期間を非撮像期間としたとき、非撮像期間において放射線撮像装置１００が、自動でオフセット補正生成処理を開始してもよい。この場合も撮像開始命令の受信時にオフセット補正データ生成の残り時間から処理の継続または中止を選択することができる。
【００４１】
また、第１実施形態では、オフセット補正データ生成中止割込み処理を、撮像開始命令の受信により開始するものとして説明したが、撮像開始命令とは別にオフセット補正データ生成中止命令を用いて、オフセット補正データ生成中止割込み処理を開始してもよい。
【００４２】
なお、撮像モードが複数、例えば１０モードある場合であって、そのうち７モードのオフセット補正データが生成され、そこで撮像が開始・再開された場合に対応して、どのモードについてオフセット補正データの更新が終了しているかを記憶しておいてもよい。また、オフセット補正データの更新タイミングを撮影モード毎に記憶しておいてもよい。
【００４３】
なお、第１実施形態では、オフセット補正データ生成終了までの残り時間を算出して処理の中止または継続を決定する構成を説明したが、オフセット補正データ生成のために必要な暗電流画像データの枚数のうち一定枚数の撮像が完了しているか否かを進度として処理の中止または継続を決定してもよい。このように進度は、現在までに何枚の暗電流画像データが撮像されたか、あと何枚の暗電流画像データの撮像が必要か、といった情報に基づいて決定されてもよい。
【００４４】
また、オフセット補正データ生成中止命令（例えば、撮像開始命令）の受信タイミングが、所定枚数の暗電流画像データを取得して加算する処理の完了前である場合には、オフセット補正データ生成処理を中止し、加算処理の完了後であって平均化処理が行われているような場合にはオフセット補正データ生成処理を継続してもよい。すなわち、進度は加算処理中であるか平均化処理中かによって判定してもよい。
【００４５】
これらのような場合には、放射線撮像装置１００の撮像制御部１０５は、例えば暗電流画像データが撮像されるたびに枚数をカウントしていくカウント部（不図示）と、当該カウント部のカウントに応じてオフセット補正データの生成を中断するか続行するかを判定してフラグを立てる判定部（不図示）を有している。判定の際に使用される枚数の閾値は放射線撮像装置１００のメモリに保存されているか、あるいはシステムの応答性を各病院の要望或いは利用シーンに応じて変えられるように、サービスマンモード等で外部から設定が可能であってもよい。
【００４６】
また、放射線撮像装置１００の撮像制御部１０５は、オフセット補正データ生成開始からの時間を計る計時部（不図示）を有してもよい。その場合、進度は、オフセット補正データ生成開始からの時間として定義してもよい。この場合には、各撮像モードに対応するオフセット補正データごとに生成に要する時間が予め分かっており、この時間がメモリに保存されている。
【００４７】
さらに、ある撮像モードに対応するオフセット補正データについて暗電流画像データの撮像が開始された場合に、計時部が計時を開始し、中止命令が来た際に判定部がその時点での時間とメモリに保存された生成に要する時間とを比較し、その差分が予め定められた閾値よりも大きい場合には中止し、小さい場合には続行してもよい。
【００４８】
撮像モードごとに１枚の画像の撮像時間は大きく異なる（３３ｍｓ−５００ｍｓ）ため、この場合には、撮像枚数でカウントする場合に比べて、撮像モードによらずに固定の時間で中止または続行を切り分けることができる。もちろん、撮影モード毎に時間に関する閾値を設定可能に構成されてもよい。
【００４９】
（第２実施形態）
図４は、第２実施形態に係る放射線撮像システム１０の一例を示す図である。同期制御インタフェース１１１が追加されている他は、図１の構成と同様であるため説明を省略する。
【００５０】
図５（ａ）−図５（ｃ）は、同期制御インタフェース１１１を用いた、オフセット補正データ生成中止処理のタイミングチャートを示す。同期制御インタフェース１１１を介して、放射線撮像装置１００と放射線発生制御装置１０３との同期信号ＳＹＮＣと、当該同期信号ＳＹＮＣが有効であることを示す同期有効信号ＳＹＮＣ＿ＥＮとが伝達される。同期有効信号ＳＹＮＣ＿ＥＮがＨｉｇｈレベルである期間が撮像期間であり、Ｌｏｗレベルである期間が非撮像期間である。
【００５１】
図５（ａ）は、オフセット補正データ生成終了後に撮像が再開される場合の一例である。放射線撮像装置１００は、時刻ｔ１でシステム制御／画像処理装置１０１からコマンドインタフェース１１０を介して撮像開始命令を受信すると、撮像開始命令に含まれる撮像モード、または当該撮像開始命令と共に受信される撮像モードに従って、撮像準備を開始し、時刻ｔ２において撮像準備が完了する。
【００５２】
時刻ｔ３において、システム制御／画像処理装置１０１は、同期制御インタフェース１１１を介して、Ｈｉｇｈレベルの同期有効信号ＳＹＮＣ＿ＥＮを放射線撮像装置１００へ伝達する。時刻ｔ３から同期信号Ｓｅｔｕｐ時間Ｔｓ経過後の時刻ｔ４において、システム制御／画像処理装置１０１は、同期信号ＳＹＮＣを出力し始め、放射線発生制御装置１０３による放射線管１０４の放射線照射制御と放射線撮像装置１００による撮像制御とが同期信号ＳＹＮＣに同期して実行され、動画撮像が行われる。
【００５３】
時刻ｔ５において、操作者が撮像を中止すると、システム制御／画像処理装置１０１は、Ｌｏｗレベルの同期有効信号ＳＹＮＣ＿ＥＮを伝達するとともに、同期信号ＳＹＮＣの出力を停止する。動画撮像により上昇したフラットパネルセンサ１０６の温度によるオフセット変動を低減するため、時刻ｔ６において、システム制御／画像処理装置１０１は、オフセット補正データ生成開始命令を発行する。放射線撮像装置１００は、時刻ｔ７よりオフセット補正データの生成を開始し、時刻ｔ８でオフセット補正データの更新が完了する。時刻ｔ９において、操作者が撮像の再開を指示し、同期信号Ｓｅｔｕｐ時間Ｔｓ後の時刻ｔ１０から同期信号ＳＹＮＣが出力されて動画撮像が再開される。
【００５４】
図５（ｂ）は、操作者による撮像再開指示が、オフセット補正データ生成の残り時間Ｔｒが所定時間未満となってからのタイミングで行われた場合のタイミングチャートである。時刻ｔ１から時刻ｔ７までは、図５（ａ）と同様であるため説明を省略する。
【００５５】
時刻ｔ８において、操作者により撮像再開が指示されると、同期有効信号ＳＹＮＣ＿ＥＮがＨｉｇｈレベルとなる。これを検出した放射線撮像装置１００は、オフセット補正データ生成の残り時間Ｔｒを算出する。算出したオフセット補正データ生成の残り時間Ｔｒが同期有効信号ＳＹＮＣ＿ＥＮのＨｉｇｈレベルへの遷移から同期信号ＳＹＮＣの出力までの同期信号Ｓｅｔｕｐ時間Ｔｓより短いため、オフセット補正データ生成が継続される。そして、時刻ｔ９において、オフセット補正データの更新が完了し、同期信号Ｓｅｔｕｐ時間Ｔｓ後の時刻ｔ１０から、同期信号ＳＹＮＣが出力されて動画撮像が再開される。
【００５６】
図５（ｃ）は、オフセット補正データ生成が中止される場合の一例を示すタイミングチャートである。時刻ｔ１から時刻ｔ７までは、図５（ａ）と同様であるため説明を省略する。
【００５７】
時刻ｔ８において、操作者により撮像再開が指示されると、同期有効信号ＳＹＮＣ＿ＥＮがＨｉｇｈレベルとなる。これを検出した放射線撮像装置１００は、オフセット補正データ生成の残り時間Ｔｒを算出する。算出したオフセット補正データ生成の残り時間Ｔｒが同期信号Ｓｅｔｕｐ時間Ｔｓよりも長いため、オフセット補正データ生成は中止されることになる。
【００５８】
以上説明したように、本実施形態によれば、放射線撮像装置の操作性を低下させることなくオフセット補正データを更新することができる。
【００５９】
なお、第２実施形態ではオフセット補正データ生成中止の要求を検出した時点で、オフセット補正データ生成の残り時間Ｔｒを算出し、同期信号Ｓｅｔｕｐ時間Ｔｓと比較して、オフセット補正データ生成の継続または中止を決定する構成について説明したが、同期信号Ｓｅｔｕｐ時間Ｔｓを、フレームバッファ２０３に保存されている積算暗電流画像データを読み出して積算枚数で除算したオフセット補正データをフレームバッファ２０３に書き戻す処理にかかる時間以上に設定しておけば、残り時間Ｔｒを算出する必要がなくなるため制御が簡略化できる。
【００６０】
また、オフセット補正データの生成のために必要な暗電流画像データの所定枚数のうち、ある暗電流画像データの取得・加算中であれば、その暗電流画像データの取得・加算処理が終了するまでは処理を継続し、加算済みの画像枚数で除算を行って加算平均データを取得し、当該加算平均データをオフセット補正データとして更新してもよい。これにより、所定枚数に足りていないためランダム成分ノイズの低減効果はやや劣るものの、操作性を低下させずに、温度変化に起因した暗電流成分による固定パターンノイズの抑制が可能となる。
【００６１】
このようにして加算済みの暗電流画像データの枚数で除算を行い、オフセット補正データを更新する場合、撮像開始後もオフセット補正データ生成途中の積算暗電流画像データをフレームバッファ２０３に保存しておき、撮像終了後に残りの処理を再開してもよい。
【００６２】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014030151.tif 000003
【図２】
2014030151.tif 000004
【図３】
2014030151.tif 000005
【図４】
2014030151.tif 000006
【図５】
2014030151.tif 000007
【図６】
2014030151.tif 000008